(57)【特許請求の範囲】
【請求項１】
バンド部と、
入口と出口とを有して前記バンド部の一端が前記入口から前記出口へ貫通するバンド貫通路を有し、かつ、前記バンド部の他端に設けられるバックル部とを備える結束バンドにおいて、
前記バックル部が、
前記バンド貫通路を形成する貫通路形成部と、
前記バンド貫通路を貫通した前記バンド部の進む方向に沿って前記バンド貫通路の出口の縁から突出する突出壁部とを有しており、
前記突出壁部が、前記バンド貫通路を貫通した前記バンド部の進む方向に沿って前記バンド貫通路の出口の縁から突出し、かつ、互いに対向する対向壁の対を有しており、
前記バンド貫通路が直線状であり、
前記対向壁の前記バンド貫通路が延びる方向の長さが、前記バンド貫通路が延びる方向に直交し前記対向壁の壁面に沿う方向における前記バンド貫通路の出口の縁から前記貫通路形成部の外縁までの長さの最大値に比べて長く、
前記対向壁が、前記バンド貫通路の出口の縁の一端から他端にわたって配置されていることを特徴とする結束バンド。
【請求項２】
前記対向壁が前記貫通路形成部の外縁に達しており、
前記対向壁の端部が前記貫通路形成部の前記外縁と共に単一の面を形成していることを特徴とする請求項１に記載の結束バンド。
【発明の詳細な説明】
【技術分野】
【０００１】
本発明は結束バンドに関する。
【背景技術】
【０００２】
特許文献１には結束バンドが開示されている。この結束バンドは熱可塑性樹脂組成物からなる。この熱可塑性樹脂組成物は、ポリアミド樹脂（ａ）とＰＭＭＡ換算重量平均分子量が１０万〜２７万のポリ乳酸樹脂（ｂ）との合計量を１００重量％とする。この熱可塑性樹脂組成物は、ポリアミド樹脂（ａ）３０〜９９重量％およびポリ乳酸樹脂（ｂ）７０〜１重量％を配合してなる。この熱可塑性樹脂組成物は、電子顕微鏡で観察される樹脂相分離構造においてポリアミド樹脂（ａ）が連続相、ポリ乳酸樹脂（ｂ）が分散相を形成している。特許文献１に開示された結束バンドは、成形性を向上でき、耐折れ曲げ性と結合部強度とを増大でき、バンド部を係止部に挿入するときの勘合音を確認しやすくできる。
【０００３】
特許文献２には結束バンドが開示されている。この結束バンドは表面に歯が列設されたストラップと、ストラップを挿入可能な通路と、ストラップと一体化されたヘッドとを備える。通路に、ストラップを通路に挿入する方向に移動させるときには歯と噛み合わず、ストラップを通路から引き抜く方向に移動させるときには歯と噛み合う、爪が配置されている。ストラップを、結束対象物を巻くようにループ状に変形させ、通路に挿入して歯と爪とを噛み合わせることで、歯と爪とが噛み合った位置からストラップが後退することなく対象物を結束できる。ストラップおよびヘッドは、ポリアミド系樹脂組成物からなる。このポリアミド系樹脂組成物は、ＪＩＳ  Ｋ７１９８の規定に基づいて測定した動的粘弾性について、３０〜１００℃の温度域における貯蔵弾性率が１×１０８〜５×１０９Ｐａの範囲にあり、かつ、９０℃以上の温度域に損失弾性率のピークを有する。特許文献２に開示された結束バンドは、ポリアミド系樹脂組成物からなる透明かつ高強度の結束バンドを提供できる。
【０００４】
特許文献３には結束バンドが開示されている。この結束バンドは、バンド部と、バックル部とを備える。バンド部は帯状部およびセレーションを有する。セレーションは帯状部に設けられている。バックル部は、バンド部の一端に設けられる。バックル部は、バンド貫通孔を有する。バンド貫通孔をバンド部の他端が貫通する。バンド貫通孔の内周面に、バンド抜止爪が設けられている。バンド抜止爪は、バンド貫通孔をいったん貫通したバンド部がバンド貫通孔から抜けることをセレーションとかみ合うことにより防止する。バンド部は、側壁部をさらに備える。側壁部は、セレーションに沿うように帯状部に設けられている。側壁部は、バンド部の他端側におけるセレーションの端からバックル部までの区間に設けられている。側壁部の帯状部からの高さが、セレーションの帯状部からの高さより低い。特許文献３に開示された結束バンドは、長い部材を束ねたときその長い部材の軸方向へずれる可能性を低くできる。
【先行技術文献】
【特許文献】
【０００５】
【特許文献１】特開２００８−２４９２４号公報
【特許文献２】特開２００９−１３１６号公報
【特許文献３】特開２０１２−１１６５５２号公報
【発明の概要】
【発明が解決しようとする課題】
【０００６】
特許文献１ないし特許文献３に開示された結束バンドには、特許文献３に言うバンド部のうち特許文献３に言う係止部を貫通した部分を切り取ると、残されたバンド部の端がバックル部の側面から突出するという問題点がある。
【０００７】
本発明は、上述したような問題点を解決するためのものである。本発明の目的は、バンド部のうちバックル部を貫通した部分が切り取られた後にバンド部の端がバックル部から突出することの抑制にある。
【課題を解決するための手段】
【０００８】
図面を参照し本発明を説明する。なおこの欄で図中の符号を使用したのは発明の内容の理解を助けるためであって内容を図示した範囲に限定する意図ではない。
【０００９】
上記目的を達成するために、本発明のある局面に従うと、結束バンド２０は、バンド部３０とバックル部３２とを備える。バックル部３２はバンド貫通路６０を有する。バンド貫通路６０は入口７０と出口７２とを有する。バンド貫通路６０をバンド部３０の一端が入口７０から出口７２へ貫通する。バックル部３２はバンド部３０の他端に設けられる。バックル部３２が、貫通路形成部５０と、突出壁部５２とを有している。貫通路形成部５０は、バンド貫通路６０を形成する。突出壁部５２は、バンド貫通路６０を貫通したバンド部３０の進む方向に沿ってバンド貫通路６０の出口７２の縁から突出する。
【００１０】
バンド貫通路６０を貫通し先端部分が切り取られた後のバンド部３０の端は、突出壁部５２によってバックル部３２の周りから遮られることとなる。バンド貫通路６０を貫通したバンド部３０の進む方向に沿って突出壁部５２がバンド貫通路６０の出口７２の縁から突出するためである。突出壁部５２によって遮られるので、そのバンド部３０の端がバックル部３２から突出することは抑制される。
【００１１】
上述した突出壁部５２が対向壁８０の対を有している。対向壁８０は、バンド貫通路６０を貫通したバンド部３０の進む方向に沿ってバンド貫通路６０の出口７２の縁から突出する。対向壁８０は互いに対向する。
【００１２】
突出壁部５２が対向壁８０の対を有していると、先端部分が切り取られた後のバンド部３０の端は、対向壁８０の対に挟まれることとなる。これにより、片側のみ遮られた場合に比べ、バンド部３０の端のバックル部３２からの突出は抑制される。
【００１３】
上述したバンド貫通路６０が直線状である。対向壁８０のバンド貫通路６０が延びる方向の長さが、バンド貫通路６０が延びる方向に直交し対向壁８０の壁面に沿う方向におけるバンド貫通路６０の出口７２の縁から貫通路形成部５０の外縁９２までの長さの最大値に比べて長い。
【００１４】
バンド貫通路６０が延びる方向に直交し対向壁８０の壁面に沿う方向における貫通路形成部５０の外縁９２に沿いバンド貫通路６０を貫通したバンド部３０の先端部分を切り取ったとする。その先端部分が切り取られた後のバンド部３０の端は対向壁８０の対の間に収まる。対向壁８０のバンド貫通路６０が延びる方向の長さが、バンド貫通路６０が延びる方向に直交し対向壁８０の壁面に沿う方向におけるバンド貫通路６０の出口７２の縁から貫通路形成部５０の外縁９２までの長さの最大値に比べて長いためである。これにより、その最大値よりもバンド貫通路６０が延びる方向の対向壁８０の長さが短い場合に比べ、バンド部３０の端のバックル部３２からの突出は抑制される。
【００１５】
上述した対向壁８０が、バンド貫通路６０の出口７２の縁の一端から他端にわたって配置されている。
【００１６】
対向壁８０のバンド貫通路６０が延びる方向の長さが、バンド貫通路６０が延びる方向に直交し対向壁８０の壁面に沿う方向におけるバンド貫通路６０の出口７２の縁から貫通路形成部５０の外縁９２までの長さの最大値に比べて長いとする。しかも、バンド貫通路６０の出口７２の縁の一端から他端にわたって対向壁８０が配置されているとする。しかも、バンド貫通路６０が延びる方向に直交し対向壁８０の壁面に沿う方向における貫通路形成部５０の外縁９２に沿いバンド貫通路６０を貫通したバンド部３０の先端部分を切り取ったとする。この場合、先端部分が切り取られた後のバンド部３０の端が対向壁８０の突出方向に沿っている限り、そのバンド部３０の端はバックル部３２から突出しなくなる。
【００１７】
もしくは、上述した対向壁８０が貫通路形成部５０の外縁９２に達していることが望ましい。この場合、対向壁８０の端部９０が貫通路形成部５０の外縁９２と共に単一の面を形成していることが望ましい。
【００１８】
対向壁８０の端部９０が貫通路形成部５０の外縁９２と共に単一の面を形成していると、その面に沿ってバンド部３０の先端部分を切り取ることで、その後のバンド部３０の端が対向壁８０の対の間に収まるようバンド部３０の先端部分を切り取り易くなる。
【発明の効果】
【００１９】
本発明によれば、バンド部のうちバックル部を貫通した部分が切り取られた後にバンド部の端がバックル部から突出することを抑制できる。
【図面の簡単な説明】
【００２０】
【図１】本発明の一実施形態にかかる結束バンドの斜視図である。
【図２】本発明の一実施形態にかかるバックル部の第１の斜視図である。
【図３】本発明の一実施形態にかかるバックル部の第２の斜視図である。
【図４】本発明の一実施形態にかかるバックル部の断面図である。
【図５】本発明の一実施形態にかかるバックル部をバンド部が貫通しバンド部の先端部分が切り取られた状況を示す断面図である。
【発明を実施するための形態】
【００２１】
以下、図面を参照しつつ、本発明の実施形態について説明する。以下の説明では、同一の部品には同一の符号を付してある。それらの名称および機能も同一である。したがって、それらについての詳細な説明は繰返さない。
【００２２】
［全体構成］
図１は、本実施形態にかかる結束バンド２０の斜視図である。本実施形態にかかる結束バンド２０は、例えばワイヤハーネスなどの長尺部材を束ねるために用いられる。本実施形態にかかる結束バンド２０は、合成樹脂製である。本実施形態の場合、結束バンド２０は、バンド部３０とバックル部３２とを備える。バンド部３０は長尺部材を締め付けるためのものである。バックル部３２はバンド部３０による締め付けが緩むことを防止するためのものである。
【００２３】
［バンド部の構成］
本実施形態にかかるバンド部３０は、帯状部４０と、セレーション４２と、側壁部４４と、進入ガイド部４６とを有する。帯状部４０の形態は帯状である。帯状部４０はバンド部３０が長尺部材を締め付ける際にバンド部３０にかかる荷重を支える。セレーション４２は帯状部４０の表面に設けられる。側壁部４４も帯状部４０の表面に設けられる。側壁部４４はセレーション４２が並ぶ方向に沿って延びる。側壁部４４はバンド部３０が長尺部材を締め付ける際に帯状部４０と共にバンド部３０にかかる荷重を支える。進入ガイド部４６はバンド部３０の一端に配置される。
【００２４】
［バックル部の構成］
図２は、本実施形態にかかるバックル部３２の第１の斜視図である。図３は、本実施形態にかかるバックル部３２の第２の斜視図である。図４は、本実施形態にかかるバックル部３２の断面図である。図２ないし図４に基づいて、本実施形態にかかるバックル部３２の構成が説明される。本実施形態の場合、バックル部３２は、バンド部３０の他端（すなわち、進入ガイド部４６が設けられている側とは反対側の端）に配置される。バックル部３２は、貫通路形成部５０と、突出壁部５２と、バンド抜止爪５４と、連結部５６とを有している。貫通路形成部５０は、バンド貫通路６０を形成する。バンド貫通路６０は入口７０と出口７２とを有する。本実施形態の場合、バンド貫通路６０は直線状である。バンド部３０の進入ガイド部４６が入口７０から出口７２へバンド貫通路６０を貫通する。突出壁部５２は、バンド貫通路６０の出口７２の縁から突出する。突出壁部５２は、バンド貫通路６０を貫通したバンド部３０の進む方向に沿う。バンド抜止爪５４は、貫通路形成部５０からバンド貫通路６０内に向かって突出する。バンド抜止爪５４は、バンド部３０のセレーション４２とかみ合うことにより、バンド貫通路６０を貫通したバンド部３０がバンド貫通路６０から抜け落ちることを防止する。連結部５６は、貫通路形成部５０および突出壁部５２とバンド部３０とを連結する。
【００２５】
［突出壁部の構成］
図３および図４に基づいて、本実施形態にかかる突出壁部５２の構成が説明される。図３および図４に示されているとおり、本実施形態にかかる突出壁部５２は、対向壁８０の対を有している。対向壁８０は、バンド貫通路６０の出口７２の縁から突出する。対向壁８０は、バンド貫通路６０を貫通したバンド部３０の進む方向に沿う。対向壁８０は互いに対向する。バンド貫通路６０が延びる方向（図４において入口７０から出口７２へ向かう方向）の対向壁８０の長さは、次に述べられる長さの最大値に比べて長い。その長さは、次に述べられる方向における、バンド貫通路６０の出口７２の縁から貫通路形成部５０の外縁９２までの長さである。その方向は、バンド貫通路６０が延びる方向に直交し対向壁８０の壁面に沿う方向（図４において段差９４から端部９０へ向かう方向）である。本実施形態の場合、対向壁８０は、バンド貫通路６０の出口７２の縁の一端から他端にわたって配置されている。その結果、本実施形態の場合、対向壁８０が貫通路形成部５０の外縁９２に達している。対向壁８０の端部９０が貫通路形成部５０の外縁９２と共に単一の面を形成している。
【００２６】
［結束バンドの製造方法］
本実施形態にかかる結束バンド２０の製造方法は周知の結束バンドと同様である。例えば、本実施形態にかかる結束バンド２０は、射出成形により製造される。射出成形といった周知の結束バンドの製造方法は周知である。したがって、ここではその詳細な説明は繰り返されない。
【００２７】
［結束バンドの使用方法］
本実施形態にかかる結束バンド２０の使用方法は、バンド部３０がバックル部３２のバンド貫通路６０を貫通することによってバンド部３０が長尺部材を締め付けるまでの部分については、周知の結束バンドと同様である。したがって、その部分についての説明はここでは繰り返されない。
【００２８】
図５は、本実施形態にかかるバックル部３２をバンド部３０が貫通しそのバンド部３０の先端部分が切り取られた状況を示す断面図である。図５に基づいて、バンド部３０が長尺部材を締め付けた後における結束バンド２０の使用方法が説明される。バンド部３０が長尺部材を締め付けた後、ユーザは、バンド部３０のうちバンド貫通路６０を貫通した部分をバンド貫通路６０の出口７２の縁に沿って折り曲げる。図５において示されている二点鎖線は、出口７２の縁に沿って折り曲げられたバンド部３０を示す。ユーザは、バンド部３０のうち出口７２の縁に沿って折り曲げられた箇所よりも進入ガイド部４６寄りいずれかの箇所でバンド部３０を切断する。これにより、バンド部３０のうち先端部分は切り取られる。切断される箇所は出口７２の縁になるべく近い箇所であることが好ましい。先端部分が切り取られたバンド部３０の端は、その弾性力によって、対向壁８０の対の間に入る。図５において実線とハッチングとで示されているバンド部３０は、先端部分が切り取られた後のバンド部３０を示す。バンド部３０の端が対向壁８０の対の間に入ると本実施形態にかかる結束バンド２０による長尺部材の結束が完了する。
【００２９】
［本実施形態にかかる結束バンド２０の効果］
以上のようにして、本実施形態にかかる結束バンド２０は、先端部分が切り取られた後のバンド部３０の端が対向壁８０の突出方向に沿っている限り、そのバンド部３０の端はバックル部３２から突出しなくなる。
【００３０】
また、本実施形態にかかる結束バンド２０においては、対向壁８０の端部９０が貫通路形成部５０の外縁９２と共に単一の面を形成している。その面に沿ってバンド部３０の先端部分を切り取ることで、その後のバンド部３０の端が対向壁８０の対の間に収まるようバンド部３０の先端部分を切り取り易くなる。
【００３１】
［変形例の説明］
今回開示された実施形態はすべての点で例示である。本発明の範囲は上述した実施形態に基づいて制限されるものではない。もちろん、本発明の趣旨を逸脱しない範囲で種々の設計変更をしてもよい。
【００３２】
たとえば、対向壁８０の大きさは特に限定されない。したがって、対向壁８０は、バンド貫通路６０の出口７２の縁の一端から他端にわたっていなくともよい。もちろん、対向壁８０が貫通路形成部５０の外縁９２に達していなくともよい。対向壁８０の端部９０が貫通路形成部５０の外縁９２と共に単一の面を形成していなくてもよい。すなわち、対向壁８０の端部９０が含まれる面と貫通路形成部５０の外縁９２が含まれる面との間に段差が存在していてもよい。
【００３３】
また、バンド貫通路６０は直線状でなくともよい。
【００３４】
また、突出壁部５２が対向壁８０の対を有していなくてもよい。例えば、突出壁部５２が１枚の対向壁８０のみを有していてもよい。突出壁部５２の具体的な形態も大きさも、バンド貫通路６０を貫通したバンド部３０の進む方向に沿ってバンド貫通路６０の出口７２の縁から突出するものである限り、上述したものに限定されない。
【００３５】
また、結束バンド２０の素材は合成樹脂に限定されない。
【符号の説明】
【００３６】
２０…結束バンド
３０…バンド部
３２…バックル部
４０…帯状部
４２…セレーション
４４…側壁部
４６…進入ガイド部
５０…貫通路形成部
５２…突出壁部
５４…バンド抜止爪
５６…連結部
６０…バンド貫通路
７０…入口
７２…出口
８０…対向壁
９０…端部
９２…外縁
９４…段差
【図１】
0006445309.tif 000002
【図２】
0006445309.tif 000003
【図３】
0006445309.tif 000004
【図４】
0006445309.tif 000005
【図５】
0006445309.tif 000006